(57)【要約】      （修正有）【課題】蛇口と巻取リールを長尺の給水ホースを用いて接続し、不必要時には通常どおり巻取リールを蛇口の近くに設置して使用するとともに、必要に応じて巻取リールを蛇口から離れた位置に設置可能とし、距離の離れた場所への散水や洗浄での使用を可能とした散水ホースの巻取リールを提案する。【解決手段】巻取ドラム１の両端に鍔板２ａ、２ｂを設け、一方の鍔板２ａにハンドル３を取り付け、他方の鍔板２ｂに給水ホースを接続する接続口４を設け、ハンドル３の回転操作で巻取ドラム１に散水ホースを巻き取る散水ホースの巻取リールであって、長尺の給水ホースが巻かれるホイール１０を設けたことを特徴とする。【選択図】図１
2013121868.tif 000002
【特許請求の範囲】
【請求項１】
巻取ドラム１の両端に鍔板２ａ、２ｂを設け、一方の鍔板２ａにハンドル３を取り付け、他方の鍔板２ｂに給水ホース１２を接続する接続口４を設け、ハンドル３の回転操作で巻取ドラム１に散水ホース７を巻き取る散水ホースの巻取リールであって、
長尺の給水ホース１２が巻かれるホイール１０を設けたことを特徴とする散水ホースの巻取リール。
【発明の詳細な説明】
【技術分野】
【０００１】
この発明は、庭の水まき、花や植木への水やりの散水、自家用車や建物の洗浄等に使用する長尺の散水ホースを、不使用時に巻き取るために用いる散水ホースの巻取リールに関するものである。
【背景技術】
【０００２】
散水ホースの巻取リールとして様々な形態のものがあるが、特許文献１に示すように、基本的には巻取ドラムの両端に鍔板を設け、一方の鍔板にハンドルを取り付け、ハンドルの回転操作で巻取ドラムを回転させ、散水ホースを巻き取る構造である。他方の鍔板に給水ホースを接続する接続口（カプラー等のジョイント）が設けられ、これに蛇口に接続した給水ホースを接続する。巻取ドラムの適宜の箇所に、接続口と連通したホース接続口が設けられ、これに長尺の散水ホースを接続する。巻取リールは適宜の支持構造で地面に設置され、散水ホースは、庭の水まき、花や植木への水やりの散水、自家用車や建物の洗浄等の使用時に、必要な長さだけ巻取リールから引き出され、使用後に巻取ドラムに巻き取られる。
【先行技術文献】
【特許文献】
【０００３】
【特許文献１】実開平６−５６０６７号公報
【発明の概要】
【発明が解決しようとする課題】
【０００４】
こうした散水ホースの巻取リールにおいて、色々な長さの散水ホースを予め接続したものや、あるいは任意の長さの散水ホースを自由に接続可能とした巻取リールが製品化されている。一方、蛇口に接続する給水ホースは、蛇口との接続に足る短尺のものが用いられ、巻取リールを蛇口の近くに設置して使用される。しかし、距離の離れた場所への散水や洗浄での使用に、散水ホースが届かずに長さが足りなくなる場合がある。従来の散水ホースの巻取リールは、こうした離れた場所への使用には、より長尺な散水ホースを用いるしかないが、巻取リールを蛇口から離れた位置に設置可能であれば、こうした場合にも適用することができて便利である。
【０００５】
この発明は、こうした課題を解決することを目的とするもので、蛇口と巻取リールを長尺の給水ホースを用いて接続し、不必要時には通常どおり巻取リールを蛇口の近くに設置して使用するとともに、必要に応じて巻取リールを蛇口から離れた位置に設置可能とし、距離の離れた場所への散水や洗浄での使用を可能とした散水ホースの巻取リールを提案することを目的とするものである。
【課題を解決するための手段】
【０００６】
こうした目的を達成するため、この発明は、巻取ドラム１の両端に鍔板２ａ、２ｂを設け、一方の鍔板２ａにハンドル３を取り付け、他方の鍔板２ｂに給水ホース１２を接続する接続口４を設け、ハンドル３の回転操作で巻取ドラム１に散水ホース７を巻き取る散水ホースの巻取リールであって、長尺の給水ホース１２が巻かれるホイール１０を設けたことを特徴とするものである。
【発明の効果】
【０００７】
この発明の散水ホースの巻取リールは、ホイール１０を設け、これに長尺の給水ホース１２が巻かれるように構成したので、長尺の給水ホース１２を用いて蛇口と接続し、巻取リールを蛇口から離れた位置に設置することができ、より長尺の散水ホース７を用いる必要がなく、距離の離れた場所への散水や洗浄での使用が可能である。また、不必要時には長尺の給水ホース１２をホイール１０に巻くことができて便利であるとともに、従来どおり巻取リールを蛇口の近くに設置して使用することもでき、散水の距離に応じて給水ホース１２の長さが調節可能で、使い勝手が極めて優れるものである。
【図面の簡単な説明】
【０００８】
【図１】この発明の実施例の正面図。
【図２】側面図。
【図３】散水ホース、給水ホースを巻いた状態の正面図。
【図４】散水ホース、給水ホースを巻いた状態の正面図。
【発明を実施するための形態】
【０００９】
以下に、この発明の具体的な実施形態を図面を用いて説明する。
図面はこの発明の散水ホースの巻取リールの実施例で、図１，２に散水ホース、給水ホースを接続していない状態、図３，４に散水ホース、給水ホースを接続し、巻いた状態た状態を示す。図に示すように、この散水ホースの巻取リールは、巻取ドラム１の両端に鍔板２ａ、２ｂを設け、一方の鍔板２ａにハンドル３を取り付け、他方の鍔板２ａに給水ホースを接続する接続口４を設け、巻取ドラム１の適宜の箇所に、接続口４と連通したホース接続口５を設けてリール本体が形成されている。
【００１０】
リール本体を覆うように枠組み構造の支持枠体６が形成され、支持枠体６は、４本の脚枠６ａを有し、両側面に設けた横枠６ｂ、６ｃでリール本体を回転自在に支持し、頂部に持ち手６ｄを形成している。この持って持ち手６を持って巻取リールを持ち運び、脚枠６ａで地面に安定設置される。ホース接続口６に長尺の散水ホース７が接続され、散水ホース７は、使用時に必要な長さだけ巻取リールから引き出され、使用後に巻取ドラム１に巻き取られる。以上の構成は従来の巻取リールと同一である。
【００１１】
この発明の特徴的な構成は、長尺の給水ホース１２を使用可能とするために、給水ホース１２が巻かれるホイール１０を接続口４を設けた鍔板２ｂ側に設けたことである。ホイール１０は、両側に鍔状部１０ａ、１０ｂを設けてリング状に形成され、内側の鍔状部１０ａを鍔板２ｂ側の横枠６ｃに取り付け、接続口４がホイール１０の中心となるように設けられている。外側の鍔状部１０ｂには、外縁から切り欠いた切り欠き１０ｃが任意の位置に形成され、給水ホース１２を切り欠き１０ｃに挿通してホイール１０に巻くように構成されている（図４参照）。
【００１２】
この散水ホースの巻取リールは、長尺の給水ホース１２を用いて蛇口と接続する。通常の使用では給水ホース１２をホイール１０に巻いた状態とし、接続に足る長さだけ給水ホース１２をホイール１０から引き出して蛇口に接続し、巻取リールを蛇口の近くに設置して使用する。距離の離れた場所への散水や洗浄での使用で、散水ホース７が届かずに長さが足りなくなる場合、給水ホース１２をホイール１０から引き出し、巻取リールを蛇口から離れた位置に設置して使用する。
【００１３】
以上、図面の実施例について説明したが、この発明の散水ホースの巻取リールは、様々な形態に適用可能である。ホイール１０の材質は、樹脂成形製、金属板金製等任意であり、その径や大きさは、給水ホース１２の適応長さに応じて適宜設定することができる。また、ホイール１０を実施例のようにリール本体の側面に取り付ける他、リール本体の正面や背面に取り付けてもよい。さらに、ホイール１０をリール本体から着脱自在とし、ホイール１０を取り外して従来どおり短尺の給水ホースを使用し、ホイール１０を取り付けて長尺な給水ホース１２を使用可能とするように、用途に応じて使い分け可能とすれば、さらに使い勝手が向上する。
【符号の説明】
【００１４】
１  巻取ドラム
２ａ、２ｂ  鍔板
３  ハンドル
７  散水ホース
１０  ホイール
１２  給水ホース
【図１】
2013121868.tif 000003
【図２】
2013121868.tif 000004
【図３】
2013121868.tif 000005
【図４】
2013121868.tif 000006